(57)【要約】【課題】エスカレータ利用者が乗り場側の乗降口からエスカレータに乗った場合、前後二つの踏段に跨って足を載せていたことが原因となって発生する転倒事故を防止することができるエスカレータの踏段装置を提供することである。【解決手段】エスカレータの踏段装置において、無端状に連結され、上下階に位置する乗降口２，３の間を循環移動する複数の踏段４と、個々の踏段４に設けられ、エスカレータ利用者が足を載せる踏板８と、個々の踏段４における移動方向の先端側又は後端側に設けられ、踏板８から上方に突出する突出位置と踏板８より下側に入り込む収容位置とに移動可能な可動体１２と、踏段４が乗り場側の乗降口２に設けられている乗降板５の下側を通過した場合に、収容位置に位置する可動体１２を突出位置に移動させるアクチュエータ１６と、を備える。【選択図】    図１
2011051734.tif 000002
【特許請求の範囲】
【請求項１】
無端状に連結され、上下階に位置する乗降口の間を循環移動する複数の踏段と、
個々の前記踏段に設けられ、エスカレータ利用者が足を載せる踏板と、
個々の前記踏段における移動方向の先端側又は後端側に設けられ、前記踏板から上方に突出する突出位置と前記踏板より下側に入り込む収容位置とに移動可能な可動体と、
前記踏段が乗り場側の前記乗降口に設けられている乗降板の下側を通過した場合に、収容位置に位置する前記可動体を突出位置に移動させるアクチュエータと、
を備えることを特徴とするエスカレータの踏段装置。
【請求項２】
前記可動体を突出位置に位置させる範囲は、前記踏段が乗り場側で水平移動する範囲と、前記踏段が乗り場側で水平移動するとともに降り場側に向けて斜行移動する範囲とに切替可能である、
ことを特徴とする請求項１記載のエスカレータの踏段装置。
【請求項３】
乗り場側の前記乗降口に設けられ、前記踏段上への足載せ位置に関するアナウンスを行なうスピーカを備える、
ことを特徴とする請求項１又は２記載のエスカレータの踏段装置。
【請求項４】
前記可動体に作用する荷重を検出する荷重検出部と、
前記可動体に作用する荷重が一定時間継続したことを判断する継続時間判断部と、
前記継続時間判断部の判断結果に基づいて報知を行う報知部と、
を備えることを特徴とする請求項１ないし３のいずれか一項に記載のエスカレータの踏段装置。
【発明の詳細な説明】
【技術分野】
【０００１】
本発明は、エスカレータの踏段装置に関し、特に、エスカレータの乗り場において、前後して位置する二つの踏段に跨って足を載せていたことが原因となって発生するエスカレータ利用者の転倒事故を防止することができるエスカレータの踏段装置に関する。
【背景技術】
【０００２】
エスカレータは、無端状に連結された複数の踏段が乗り場側の乗降口と降り場側の乗降口との間を循環している。踏段は、乗り場側の乗降口に設けられている乗降板の下側を通過した後に一定区間水平移動し、その後降り場側の乗降口に向けて斜行移動する。踏段が水平移動している場合は前後二つの踏段の間に段差は生じないが、斜行移動を開始した後は前後二つの踏段の間に段差が生じる。
【０００３】
エスカレータ利用者が乗り場側の乗降口からエスカレータに乗った場合、段差を生じないで水平移動している前後２つの踏段に跨って足を載せてしまう場合がある。
【０００４】
すると、踏段が斜行移動を開始して前後二つの踏段の間に段差が生じた場合に、エスカレータ利用者がバランスを崩して転倒する事故を起こす場合がある。特に、目が不自由なエスカレータ利用者の場合には、そのような転倒事故を起こし易い。
【０００５】
このような転倒事故を防止するためには、足が前後二つの踏段に跨って載っていることをエスカレータ利用者に気付かせ、足の位置をいずれか一方の踏段の上に移動させてもらうことが必要である。乗り場側の乗降口において、足が前後二つの踏段に跨って載っていることをエスカレータ利用者に気付かせるようにしたエスカレータの踏段装置としては、下記特許文献１に記載されたものが知られている。
【０００６】
下記特許文献１に記載されたエスカレータの踏段装置では、踏段におけるエスカレータ利用者が足を載せる踏板の一部である幅方向デマケーションの領域に、高く盛り上がった部分を形成している。
【先行技術文献】
【特許文献】
【０００７】
【特許文献１】実開平３−１２７６７８号公報
【発明の概要】
【発明が解決しようとする課題】
【０００８】
しかしながら、特許文献１に記載されたエスカレータの踏段装置では、踏板に形成されて盛り上がっている部分は、常に一定の形状に盛り上がっている。このため、エスカレータ利用者が盛り上がった部分に足を載せた場合に、その部分が盛り上がっていることに気付かないでしまう場合がある。
【０００９】
本発明はこのような課題を解決するためになされたもので、その目的は、エスカレータ利用者が乗り場側の乗降口からエスカレータに乗った場合に、足を前後二つの踏段に跨って載せていたことが原因となって発生する転倒事故を防止することができるエスカレータの踏段装置を提供することである。
【課題を解決するための手段】
【００１０】
本発明の実施の形態に係る第１の特徴は、エスカレータの踏段装置において、無端状に連結され、上下階に位置する乗降口の間を循環移動する複数の踏段と、個々の前記踏段に設けられ、エスカレータ利用者が足を載せる踏板と、個々の前記踏段における移動方向の先端側又は後端側に設けられ、前記踏板から上方に突出する突出位置と前記踏板より下側に入り込む収容位置とに移動可能な可動体と、前記踏段が乗り場側の前記乗降口に設けられている乗降板の下側を通過した場合に、収容位置に位置する前記可動体を突出位置に移動させるアクチュエータと、を備えることである。
【発明の効果】
【００１１】
本発明によれば、踏段が乗り場側の乗降口に設けられている乗降板の下側を通過した場合に、可動体が収容位置から突出位置に移動する。このため、エスカレータ利用者が前後二つの踏段に跨って足を載せていた場合、突出位置に移動する可動体がエレベータ利用者の足の底を押上げ、足を載せている位置が二つの踏段に跨ってことをエスカレータ利用者に確実に気付かせ、足をいずれか一方の踏段の上に移動させるように促すことができる。これにより、エスカレータ利用者が前後二つの踏段の上に足を載せていたことが原因となって転倒するという事故を防止することができる。
【図面の簡単な説明】
【００１２】
【図１】本発明の第１の実施の形態のエスカレータを示す側面図である。
【図２】踏段の構造を示す縦断側面図である。
【図３】踏段の構造を示す縦断正面図である。
【図４】本発明の第２の実施の形態を示すブロック図である。
【発明を実施するための形態】
【００１３】
以下、本発明の実施の形態を図面を用いて説明する。
【００１４】
（第１の実施の形態）
本発明の第１の実施の形態を、図１ないし図３に基づいて説明する。エスカレータ１は、下階の乗降口２と上階の乗降口３との間を循環移動する複数の踏段４を有している。エスカレータ１は、踏段４の移動方向を下階から上階へ、又は、上階から下階へと変更可能であり、ここでは、踏段４が乗り場側である下階の乗降口２から、降り場側である上階の乗降口３へ移動する場合について説明する。
【００１５】
上下階の乗降口２，３にはそれぞれ乗降板５が設けられており、乗降板５にはその先端部にコム６が設けられている。
【００１６】
踏段４は、中空状の支持枠７と、支持枠７に固定された踏板８と、支持枠７に取付けられた一対の前輪９と、支持枠７に取付けられた一対の後輪１０とを備えている。踏板８はエスカレータ利用者が足を載せる部分であり、踏板８の上面部には、踏段４の移動方向に沿った方向である前後方向に細長く形成されるとともにコム６と摺動可能に噛み合う複数条の溝１１が形成されている。
【００１７】
踏段４には、踏段４の移動方向後端側に位置して可動体１２が設けられている。この可動体１２は、図３に示すように、複数の突起部１３と、複数の突起部１３を連結した連結部１４とにより形成されている。複数の突起部１３は、溝１１の底面部であって、踏段４における移動方向の後端側に位置して形成された開口部１５を挿通して配置されている。そして、可動体１２は、突起部１３の先端が踏板８から上方に突出する突出位置と、突起部１３の先端が踏板８より下側に入り込む収納位置との間で移動可能に設けられている。
【００１８】
なお、収納位置とは、具体的には、図２及び図３において実線で示すように、突起部１３の先端が溝１１の底面より下側に入り込み、踏段８が乗降板５の下側を通過する場合にコム６との干渉を防止できる位置である。
【００１９】
支持枠７の内部には、可動体１２を突出位置と収容位置とに移動させるアクチュエータである電動シリンダ１６と、この電動シリンダ１６を制御する制御装置１７とが設けられている。制御装置１７は、エスカレータ１の運転を制御しているメイン制御装置（図示せず）から送信される制御信号に基づき、循環移動する踏段４が乗り場側の乗降口２に設けられている乗降板５の下側を通過した場合に、電動シリンダ１６を駆動させ、可動体１２を突出位置に移動させる。
【００２０】
可動体１２が突出位置に移動した場合、図３に示すように、踏板８の上面から突起部１３の先端までの寸法“Ｈ”が数ｍｍとなる。
【００２１】
可動体１２の突出位置への移動は、踏段４が乗降口２の乗降板５の下側を通過してから水平移動を行い、その後、踏段４が降り場の乗降口３に向けて斜行移動を開始するまでの間に終了するように行なわれる。
【００２２】
なお、斜行移動を終了した踏段が降り場側において水平移動を開始した場合、電動シリンダ１６が逆方向に駆動され、可動体１２は収納位置に移動する。
【００２３】
エスカレータ１には、踏段４の移動方向と直交する方向の両側にスカートガードパネル１８が設けられている。スカートガードパネル１８における乗降口２，３の近傍の位置には、スピーカ１９が設けられている。乗り場側の乗降口２のスピーカ１９からは、踏段４の踏板８上への足載せ位置に関するアナウンス、例えば、「段差のない位置にお立ち下さい。」等のアナウンスが行なわれる。
【００２４】
また、スカートガードパネル１８には、乗り場側の乗降口２の近傍に位置して、第１の切替ポジションと第２の切替ポジションとに切替可能な切替スイッチ２０が設けられている。この切替スイッチ２０は、可動体１２を突出位置に位置させる範囲を切替えるもので、第１の切替ポジションに切替えた場合には、上述したように、可動体１２が突出位置に位置する範囲を、踏段４が乗り場の乗降口２側で水平移動する範囲と、踏段４が降り場の乗降口３に向けて斜行移動する範囲とすることができる。また、第２切替ポジションに切替えた場合には、可動体１２が突出位置に位置する範囲を、踏段４が乗り場の乗降口２側で水平移動する範囲とすることができる。
【００２５】
このような構成において、エスカレータ１の運転時には、踏段４は、乗り場側の乗降口２の乗降板５の下側を通過した後に一定区間水平移動し、その後、降り場側の乗降口３に向けて斜行移動する。
【００２６】
踏段４が乗り場側の乗降口２の乗降板５の下側を通過した後に電動シリンダ１６が駆動され、図２において実線で示した収容位置に位置している可動体１２が、二点鎖線で示した突出位置に向けて移動し、突起部１３の先端部が図２及び図３において二点鎖線で示すように踏板８の上面から上方に突出する。なお、この移動動作は、踏段４が水平移動している間に行なわれる。
【００２７】
したがって、乗り場側の乗降口２からエスカレータ１に乗ったエスカレータ利用者が、水平移動している前後二つの踏段４に跨って足を載せた場合、突出位置に移動する突起部１３が足の底を押上げるので、エスカレータ利用者に対し、足が二つの踏段４に跨って載っていることに確実に気付かせることができる。これにより、エスカレータ利用者に対し、二つの踏段４に跨って載せていた足をいずれか一方の踏段４上に移動するように促すことができる。
【００２８】
このようにして、エスカレータ利用者が、前後二つの踏段４に跨って載せていた足をいずれか一方の踏段４上に移動させることにより、踏段４が斜行移動を開始して前後二つの踏段４の間に段差が生じても、その段差の発生が原因となってエスカレータ利用者が転倒するという事故の発生を防止することができる。
【００２９】
また、乗り場側の乗降口２において、スピーカ１９から、踏段４上への足載せ位置に関するアナウンス、例えば、「段差のない位置にお立ち下さい。」等のアナウンスが行なわれるので、エスカレータ利用者は足載せ位置に関して注意を払うようになり、突起部１３による足底の押上げをより一層気付くようになり、エスカレータ利用者が二つの踏段４に跨って載せていた足をいずれか一方の踏段４上に移動することをより一層促すことができる。
【００３０】
なお、切替スイッチ２０を切替操作し、切替スイッチ２０を第１切替ポジションに切替えることにより、可動体１２が突出位置に位置する範囲を、踏段４が乗り場側で水平移動する範囲と、踏段４が降り場側の乗降口３に向けて斜行移動する範囲とすることができる。また、切替スイッチ２０を第２切替ポジションに切替えることにより、可動体１２が突出位置に位置する範囲を、踏段４が乗り場側で水平移動する範囲とすることができる。
【００３１】
本来の可動体１２の作用は、エスカレータ利用者がエスカレータ１に乗る場合に、前後して位置する二つの踏段４に跨って足を載せることを防止するものなので、可動体１２が突出位置に位置する範囲を、踏段４が乗り場側で水平移動する範囲としてもよい。しかし、切替スイッチ２０を第１切替ポジションに切替え、踏段４が斜行移動する範囲においても可動体１２を突出位置に位置させることにより、エスカレータ１の踏段４上を歩行するエスカレータ利用者が踏段４上でスリップすることを防止することができる。
【００３２】
（第２の実施の形態）
本発明の第２の実施の形態を図４に基づいて説明する。なお、第１の実施の形態で説明した構成要素と同じ構成要素には同じ符号を付し、重複する説明は省略する。
【００３３】
第２の実施の形態では、制御装置１７に代えて制御装置１７ａが設けられており、この制御装置１７ａには、電動シリンダ１６と、荷重検出部２１と、報知部であるブザー２２とが接続されている。
【００３４】
荷重検出部２１は、可動体１２に作用する荷重を検出する。可動体１２に作用する荷重とは、例えば、エスカレータ利用者が突出位置に移動した可動体１２を踏んでいる場合に作用する荷重である。
【００３５】
制御装置１７ａは、第１の実施の形態の制御装置１７と同様に、エスカレータ１の運転を制御しているメイン制御装置（図示せず）から送信される制御信号に基づき、循環移動する踏段４が乗り場側の乗降口２に設けられている乗降板５の下側を通過した場合に、電動シリンダ１６を駆動させ、可動体１２を突出位置に移動させる。また、制御装置１７ａには、可動体１２に作用する荷重が一定時間継続したことを判断する継続時間判断部２３が設けられている。
【００３６】
ブザー２２は、継続時間判断部２３の判断結果に基づき、設定した一定時間が経過した場合にブザー音を発生し、設定した一定時間が経過したことを報知する。
【００３７】
このような構成において、第２の実施の形態では、第１の実施の形態と同様に、踏段４が乗り場側の乗降口２の乗降板５の下側を通過した後に電動シリンダ１６が駆動され、収容位置に位置している可動体１２が突出位置に向けて移動する。
【００３８】
したがって、乗り場側の乗降口２からエスカレータ１に乗ったエスカレータ利用者が、水平移動している前後二つの踏段４に跨って足を載せた場合、突出位置に移動する突起部１３が足の底を押上げるので、エスカレータ利用者は、二つの踏段４に跨って足を載せていることを確実に気付くことができる。これにより、エスカレータ利用者に対して、二つの踏段４に跨って載せていた足をいずれか一方の踏段４上に移動するように促すことができる。
【００３９】
このようにして、エスカレータ利用者が、前後二つの踏段４に跨って乗せていた足を一方の踏段４上に移動させることにより、踏段４が斜行移動を開始して前後二つの踏段４の間に段差が生じても、その段差の発生が原因となってエスカレータ利用者が転倒するという事故の発生を防止することができる。
【００４０】
さらに、可動体１２に作用している荷重を荷重検出部２１で検出し、その荷重が設定した一定時間継続していることを継続時間判断部２３で判断した場合には、２つの踏段４に跨って足を載せたエスカレータ利用者が、その足を一方の踏段４側に移動しないことを意味する。
【００４１】
このような場合には、継続時間判断部２３での判断結果に基づき、ブザー２２を鳴らし、エスカレータ利用者に対して足をいずれか一方の踏段４に移動させることを促す。
【００４２】
これにより、エスカレータ利用者が前後二つの踏段４に跨って足を載せていたため、前後二つの踏段４の間に段差が生じたためにエスカレータ利用者が転倒するという事故の発生をより一層防止することができる。
【符号の説明】
【００４３】
２，３  乗降口
４      踏段
５      乗降板
８      踏板
１２      可動体
１６      アクチュエータ（電動シリンダ）
２１      荷重検出部
２２      報知部（ブザー）
２３      継続時間判断部
【図１】
2011051734.tif 000003
【図２】
2011051734.tif 000004
【図３】
2011051734.tif 000005
【図４】
2011051734.tif 000006